(57)【要約】【課題】この発明は重合された複数のマットレスがずれ動かないようにしたマットレス装置を提供することにある。【解決手段】互いの上面と下面とを接触させて重合される第１、第２のマットレス１，２と、各マットレスの外周面に設けられた第１のベルベットファスナ１１ａ，１１ｂと、重合された複数のマットレスの外周面を覆うとともに内面に上記第１のベルベットファスナ１１ａ，１１ｂに着脱可能に結合する第２のベルベットファスナ１４が設けられた帯状外装部材１３とを具備する。【選択図】      図２
2005198899.tif 000002
【特許請求の範囲】
【請求項１】
互いの上面と下面とを接触させて重合される複数のクッション体と、
各クッション体の外周面に設けられた第１の連結手段と、
重合された複数のクッション体の外周面を覆うとともに内面に上記第１の連結手段に着脱可能に結合する第２の連結手段が設けられた帯状外装部材と
を具備したことを特徴とするマットレス装置。
【請求項２】
複数のクッション体の互いに接触する上面と下面とには、これらのクッション体を重合状態で結合する第３の連結手段が設けられていることを特徴とする請求項１記載のマットレス装置。
【請求項３】
上記第１の連結手段は、少なくとも最下段に位置するクッション体の外周面の下端部と、最上段に位置するクッション体の外周面の上端部とに設けられた第１のベルベットファスナであって、上記第２の連結手段は上記帯状外装部材の内面の上下端部に設けられて上記各クッション体の各第１のベルベットファスナに着脱可能に結合する第２のベルベットファスナであることを特徴とする請求項１記載のマットレス装置。
【請求項４】
上記第１の連結手段は、各クッション体の外周面を形成するループ状布地であって、上記第２の連結手段は上記帯状外装部材の内面の上下端部に設けられて上記ループ状布地に着脱可能に結合する第２のベルベットファスナであることを特徴とする請求項１記載のマットレス装置。
【請求項５】
上記第１の連結手段は、少なくとも最下段に位置するクッション体の外周面の下端部と、最上段に位置するクッション体の外周面の上端部とに設けられた第１のチャックファスナであって、上記第２の連結手段は上記帯状外装部材の内面の上下端部に設けられて上記第１のチャックファスナに着脱可能に結合する第２のチャックファスナであることを特徴とする請求項１記載のマットレス装置。
【請求項６】
複数のクッション体の少なくとも１つは、発泡弾性材によって形成されていることを特徴とする請求項１記載のマットレス装置。
【請求項７】
上記帯状外装部材は、少なくとも一部に伸縮部材を有する閉ループ状に形成されていることを特徴とする請求項１記載のマットレス装置。
【請求項８】
上記帯状外装部材は、一端と他端とに互いに結合する第４の連結手段が設けられ、重合された複数のマットレスの外周面を覆った状態で上記一端と他端とが着脱可能に結合されることを特徴とする請求項１記載のマットレス装置。
【発明の詳細な説明】
【技術分野】
【０００１】
この発明は複数のクッション体を重合して構成されるマットレス装置に関する。
【背景技術】
【０００２】
一般にマットレス装置はクッション体を有する。クッション体はたとえばスプリングユニットを用いて構成されている。マットレス装置の性能を向上させるために、複数のクッション体を重合して使用するということが行なわれている。
【０００３】
従来、マットレス装置の性能向上を図るために複数のクッション体、たとえば２つのクッション体を重合する場合、下部スプリングユニットと、上部スプリングユニットとを仕切り部材を介して重合し、この重合体を外装体によって一体的に被覆するようにしている。
【発明の開示】
【発明が解決しようとする課題】
【０００４】
しかしながら、外装体によって一体的に被覆された２つのクッション体は分離することができないから、輸送や持ち運びなどの際に重量が大きくなり、取り扱いが不便であったり、２つのクッション体を分離して別々に使用するということができないなどのことがあった。
【０００５】
そこで、２つのマットレス装置を一体化せずに単に重合し、全体の性能向上を図るということが考えられている。しかしながら、２つのマットレス装置を単に重合しただけでは、使用中に上側のマットレス装置がずれ動いてしまうということがあったり、外観的に極めて体裁が悪いなどのことがある。
【０００６】
この発明は、複数のクッション体を一体化せずに、容易に分離できるよう重合するととともに、使用時に重合された複数のクッション体がずれ動くようなことがないようにしたマットレス装置を提供することにある。
【課題を解決するための手段】
【０００７】
この発明は、互いの上面と下面とを接触させて重合される複数のクッション体と、
各クッション体の外周面に設けられた第１の連結手段と、
重合された複数のクッション体の外周面を覆うとともに内面に上記第１の連結手段に着脱可能に結合する第２の連結手段が設けられた帯状外装部材と
を具備したことを特徴とするマットレス装置にある。
【０００８】
複数のクッション体の互いに接触する上面と下面とには、これらのクッション体を重合状態で結合する第３の連結手段が設けられていることが好ましい。
【０００９】
上記第１の連結手段は、少なくとも最下段に位置するクッション体の外周面の下端部と、最上段に位置するクッション体の外周面の上端部とに設けられた第１のベルベットファスナであって、上記第２の連結手段は上記帯状外装部材の内面の上下端部に設けられて上記各クッション体の各第１のベルベットファスナに着脱可能に結合する第２のベルベットファスナであることが好ましい。
【００１０】
上記第１の連結手段は、各クッション体の外周面を形成するループ状布地であって、上記第２の連結手段は上記帯状外装部材の内面の上下端部に設けられて上記ループ状布地に着脱可能に結合する第２のベルベットファスナであることが好ましい。
【００１１】
上記第１の連結手段は、少なくとも最下段に位置するクッション体の外周面の下端部と、最上段に位置するクッション体の外周面の上端部とに設けられた第１のチャックファスナであって、上記第２の連結手段は上記帯状外装部材の内面の上下端部に設けられて上記第１のチャックファスナに結合する第２のチャックファスナであることが好ましい。
【００１２】
複数のクッション体の少なくとの１つは、発泡弾性材によって形成されていることが好ましい。
【００１３】
上記帯状外装部材は、少なくとも一部に伸縮部材を有する閉ループ状に形成されていることが好ましい。
【００１４】
上記帯状外装部材は、一端と他端とに互いに結合する第４の連結手段が設けられ、重合された複数のマットレスの外周面を覆った状態で上記一端と他端とが着脱可能に結合されることが好ましい。
【発明の効果】
【００１５】
この発明によれば、重合された複数のクッション体が帯状外装体によってずれ動くのが防止されるばかりか、この帯状外装体によって１つのクッション体のごとき外観的を呈するため体裁がよく、しかも帯状外装体を取外すことで、複数のクッション体を分離して使用したり、持ち運ぶことも可能となる。
【発明を実施するための最良の形態】
【００１６】
以下、この発明の実施の形態を図面を参照して説明する。
【００１７】
図１乃至図３はこの発明の第１の実施の形態を示す。図１乃至図３に示すこの発明のマットレス装置は第１のクッション体としての第１のマットレス１と、この第１のマットレス１と同じ平面形状の第２のクッション体としての第２のマットレス２とを有する。
【００１８】
各マットレス１，２は、図２に示すように多数のコイルスプリング３を行列状に配置し、隣り合うコイルスプリング３の上下端面をヘリカル線４によって連結して構成されたスプリングユニット５を有する。スプリングユニット５の上下面には弾性シート６が重合され、スプリングユニット５と弾性シート６からなる重合体は袋状に縫製された外装地７によって被覆されている。
【００１９】
この外装地７は上記スプリングユニット５の上下面の弾性シート６をそれぞれ被覆した鏡地８と、上記スプリングユニット５の外周面を被覆したまち地９とからなり、このまち地９の上下端部が上記鏡地８の周縁部に縫合されている。
【００２０】
上記第１のマットレス１の上面には上記第２のマットレス２が重合される。図２に示すように、下側に位置する第１のマットレス１の下端の稜線部分、つまりまち地９の下端部と鏡地８の周辺部との縫合部分には第１の連結手段を構成する第１のベルベットファスナ１１ａが周方向全長にわたって設けられている。
【００２１】
上側に位置する第２のマットレス２の上端の稜線部分である、まち地９の上端部と鏡地８の周辺部との縫合部分には、同じく第１の連結手段を構成する第１のベルベットファスナ１１ｂが周方向全長にわたって設けられている。  
なお、第１のベルベットファスナ１１ａ，１１ｂは各マットレス１，２の周方向全長に設けたが、複数に分割して部分的に設けるようにしてもよい。
【００２２】
重合された第１，第２のマットレス１，２の外周面は帯状外装部材１３によって被覆される。この帯状外装部材１３は、第１のマットレス１と第２のマットレス２との高さ寸法の和にほぼ等しい幅寸法で、マットレス１，２の外装地７と同じ絵柄及び色彩の帯状の布地を、マットレス１，２の外形状とほぼ同じ大きさのループ状に縫製してなる。この帯状外装部材１３の内面の上下端部には、第２の連結手段を構成する第２のベルベットファスナ１４が周方向全長にわたって設けられている。
【００２３】
それによって、重合された第１、第２のマットレス１，２の外周面に上記帯状外装部材１３を装着すれば、この内周面に設けられた第２のベルベットファスナ１４を第１、第２のマットレス１，２の外周面の稜線に沿って設けられた、それぞれの第１のベルベットファスナ１１ａ，１１ｂに着脱可能に結合させることができる。
【００２４】
図２と図３に示すように、第１のマットレス１の上面と、第２のマットレス２の下面との四隅部には、それぞれ第３の連結手段を構成する第３のベルベットファスナ１５ａ，１５ｂが設けられている。これらの第３のベルベットファスナ１５ａ，１５ｂは、第１のマットレス１の上面に第２のマットレス２を重合することで、着脱可能に結合する。それによって、第１のマットレス１の上面に重合された第２のマットレス２は、第１のマットレス１上でずれ動くのが阻止される。
【００２５】
このように構成されたマットレス装置によれば、重合された第１のマットレス１と第２のマットレス２との外周面を、帯状外装部材１３によって被覆するようにしたため、２つのマットレス１，２が１つのマットレスの外観を呈するから、極めて体裁がよい。
【００２６】
しかも、帯状外装部材１３はマットレス１，２の外装地７と色彩や絵柄が同じ布地が用いられているため、第１、第２のマットレス１，２と違和感がなく、そのことによっても全体の外観が向上することになる。
【００２７】
帯状外装部材１３は、内面の上下端部に設けられた第２のベルベットファスナ１４が各マットレス１，２の稜線に設けられた第１のベルベットファスナ１１ａ，１１ｂに着脱可能に結合している。そのため、使用中に帯状外装部材１３がマットレス１，２の外周面でめくれるなどして装着状態が損なわれることが防止される。
【００２８】
重合された第１のマットレス１と第２のマットレス２とは第３のベルベットファスナ１５ａ，１５ｂによって着脱可能に結合されている。そのため、これらマットレス１，２の外周面に帯状外装部材１３が装着されていることと相俟って、使用中に第２のマットレス２が第１のマットレス１上でずれ動くのを確実に防止することが可能となる。
【００２９】
上記第１のマットレス１と第２のマットレス２との性能、たとえばスプリングユニット５の硬さや弾性シート６の柔らかさを変えておけば、第１のマットレス１と第２のマットレス２とのどちらを上にして使用するかによって利用者は性能の異なるマットレス装置として利用することができる。
【００３０】
上記帯状外装部材１３を第１、第２のマットレス１，２の外周面から取り外し、第２のマットレス２を第１のマットレス１上から取外せば、これらマットレス１，２を別々にして取り扱うことができる。そのため、必要に応じてマットレス装置を２つのマットレス１，２に分解して使用することができるばかりか、運搬などの際には重量や体積が半分となるから、取り扱いが便利である。
【００３１】
また、各マットレス１，２のスプリングユニット５の一方の面と他方の面に設けられる弾性シート６の硬さを変えれば、各マットレス１，２を別々に使用する際、そのマットレス１，２のどちらの面を上にして使用するかによって利用者に与える性能を変えることもできる。その場合、１つのマットレス装置が異なる４つの性能を持つことになる。
【００３２】
図４乃至図６はこの発明の第２の実施の形態を示す。なお、第１の実施の形態と同一部分には同一記号を付して説明を省略する。すなわち、この第２の実施の形態では、第１のマットレス１と第２のマットレス２との外装地７を形成するまち地９ａに、第１の連結手段となるループ状布地を用いるようにした。
【００３３】
一方、帯状外装部材１３Ａは、図６に示すように内布１７ａと外布１７ｂとの間に薄い弾性シート１７ｃを介在させ、これら三者の上下端部を芯材１８を包んだテープエッジ１９によって一体的に縫合している。なお、図６では上端部だけが示されているが、下端部も同じ構造となっている。この帯状外装部材１３Ａの内布１７ａと外布１７ｂのうち、少なくとも外布１７ｂはマットレス１，２の外装地７と同じ絵柄及び色彩の布地が用いられている。
【００３４】
上記帯状外装部材１３Ａの内布１４ａの上端部のテープエッジ１９よりもわずかに下方の部分には第２の連結手段を構成する第２のベルベットファスナ１４が設けられている。帯状外装部材１３Ａを重合された第１、第２のクッション体１，２の外周面に装着すれば、上記第２のベルベットファスナ１４が第１、第２のマットレス１，２のループ状布地によって形成されたまち地９ａに着脱可能に結合するから、第１の実施の形態と同様、帯状外装部材１３Ａを重合された第１、第２のマットレス１，２の外周面に着脱可能に装着することができる。
【００３５】
なお、この第２の実施の形態において、マットレス１，２の性能などは第１の実施の形態のマットレス１，２と同じである。したがって、第１の実施の形態と同様の作用効果を得ることができる。
【００３６】
図７はこの発明の第３の実施の形態を示す。この実施の形態は、上下に重合される第１のマットレス１の下端の稜線と、第２のマットレス２の上端の稜線には、鏡地８とまち地９との縫合部分に第１の連結手段としての上記第１のチャックファスナ２１ａが一体的に縫着されている。
【００３７】
帯状外装部材１３Ａは、図６に示す第２の実施の形態と同じように内布１７ａ、外布１７ｂ及び弾性シート１７ｃの３層構造となっていて、上下端部にはそれぞれ第２の連結手段としての第１のチャックファスナ２１ａに着脱可能に結合する第２のチャックファスナ２１ｂが設けられている。
【００３８】
したがって、第１、第２のマットレス１，２の外周面に装着された帯状外装部材１３Ａは、上下端部に設けられた第２のチャックファスナ２１ｂを第１のマットレス１と第２のマットレス２との稜線に設けられた第２のチャックファスナ２１ｂに結合することで、これらマットレス１，２と一体的に設けることができる。
【００３９】
図８はこの発明の第４の実施の形態を示し、この実施の第４の形態は第２のクッション体としての第２のマットレスの変形例である。この実施の形態の第２のマットレス２Ａは、スプリングユニットに代わり、所定の厚さの板状に成形されたウレタンフォームなどの発泡弾性体２３が用いられていて、この発布弾性体２３は外装地７によって被覆されている。
【００４０】
なお、第1のマットレス１及び帯状外装部材１３の構成は第1の実施の形態と同じである。また、図示しないが、第1、第２のマットレス１，２Ａと帯状外装部材１３を結合する第1、第２の連結手段及び第1、第２のマットレス１，２Ａの上面と下面とを結合する第３の連結手段も同じ構成である。
【００４１】
このように、第２マットレス２Ａを発泡弾性体２３によって形成すれば、スプリングユニット３によって形成された第1のマットレス１とは全く異なるクッション性能を呈することになる。
【００４２】
そのため、マットレス装置を利用する場合、利用者は第1のマットレス１と第２のマットレス２Ａとのどちらを上にするかによって全く異なる性能のマットレス装置として利用することができる。
【００４３】
図９と図１０はそれぞれ帯状外装部材の変形例を示すこの発明の第５の実施の形態と第６の実施の形態を示す。  
図９に示す帯状外装部材１３Ｂは、第1の実施の形態と同様、帯状の布地を第１、第２のマットレス１，２の外形状とほぼ同じ大きさのループ状に縫製するとともに、その一部、この実施の形態では２箇所に矢印方向に伸長する伸縮性布地２５が設けられている。
【００４４】
それによって、ループ状に縫製された帯状外装部材１３Ｂは拡径方向に伸縮可能であるから、重合された第１、第２のマットレス１，２の外周面への装着を容易に行うことが可能となる。
【００４５】
図１０に示す帯状外装部材１３Ｃは帯状の布地の一端と他端とにそれぞれ第４の連結手段を形成する第４のベルベットファスナ２７ａ，２７ｂが取着されている。そして、この帯状外装部材１３Ｃによって重合された第１のマットレス１と第２のマットレス２の外周面を被覆し、その一端と他端とに設けられた第４のベルベットファスナ２７ａ，２７ｂを係着させる。
【００４６】
このような構成の帯状外装部材１３Ｃによれば、重合された第１のマットレス１と第２のマットレス２との外周面への装着や取り外しを容易に行うことが可能となる。
【００４７】
上記各実施の形態では２つのクッション体を重合したマットレス装置について説明したが、重合されるマットレスの数は２つに限定されず、３つ以上であっても差し支えない。また、重合される複数のマットレスは、スプリングユニットを用いた構造や発泡弾性体を用いた構造のいずれであってもよく、さらにスプリングユニットの構造や発泡弾性体の硬さなどもなんら限定されるものでない。
【図面の簡単な説明】
【００４８】
【図１】この発明の第１の実施の形態のマットレス装置を示す斜視図。
【図２】重合された第１のマットレスと第２のマットレスとの一部分を拡大して示す断面図。
【図３】マットレス装置を構成する第１のマットレス、第２のマットレス及び帯状外装部材を分解して示す斜視図。
【図４】この発明の第２の実施の形態を示す、マットレス装置を構成する第１のマットレス、第２のマットレス及び帯状外装部材を分解して示す斜視図。
【図５】重合された第１のマットレスと第２のマットレスとの一部分を拡大して示す断面図。
【図６】帯状弾性部材とマットレスとの連結部分を拡大して示す断面図。
【図７】この発明の第３の実施の形態のマットレスと帯状弾性部材との連結構造の断面図。
【図８】この発明の第４の実施の形態を示す第１のマットレスと第２のマットレスとを重合したマットレス装置の断面図。
【図９】この発明の第５の実施の形態を示す帯状外装部材の斜視図。
【図１０】この発明の第６の実施の形態を示す帯状外装部材の斜視図。
【符号の説明】
【００４９】
１…第１のマットレス（第１のクッション体）、２…第２のマットレス（第２のクッション体）、１１ａ，１１ｂ…第１のベルベットファスナ（第１の連結手段）１３…帯状外装部材、１４…第２のベルベットファスナ（第２の連結手段）、１５ａ，１５ｂ…第３のベルベットファスナ。
【図１】
2005198899.tif 000003
【図２】
2005198899.tif 000004
【図３】
2005198899.tif 000005
【図４】
2005198899.tif 000006
【図５】
2005198899.tif 000007
【図６】
2005198899.tif 000008
【図７】
2005198899.tif 000009
【図８】
2005198899.tif 000010
【図９】
2005198899.tif 000011
【図１０】
2005198899.tif 000012